(57)【要約】【課題】コンパクト化及び低コスト化を図ることができ、また、内部圧が下がって裏蓋が開き難くなった状態でも小さな力で容易にカメラ本体に対して裏蓋を開放させることのできる防水ケースを提供する。【解決手段】防水ケース１は、カメラ本体２を覆う防水ケース本体３と、該防水ケース本体３の背面を開閉する裏蓋４と、該裏蓋４に設けられて防水ケース本体３の側面を開閉することによって、裏蓋４を防水ケース本体３に対して開閉する開閉機構５とを備える。また、裏蓋４と防水ケース本体３との突き合わせ部分に、強制解除ピン７１が設けられており、開閉機構５には強制解除ピン７１を押圧するカム部５６を有する。そして、開閉機構５は、カム部５６を中心として開放することによって強制解除ピン７１を防水ケース本体３側に押圧するとともに、裏蓋４を防水ケース本体３に対して開放する。【選択図】　　　　図３
2004029097.tif 000002
【特許請求の範囲】
【請求項１】
カメラ本体を覆う防水ケース本体と、該防水ケース本体の背面を開閉する裏蓋と、該裏蓋に設けられて前記防水ケース本体の側面を開閉することによって、前記裏蓋を前記防水ケース本体に対して開閉する開閉機構とを備えた防水ケースであって、
前記裏蓋の前記防水ケース本体との突き合わせ部分に、前記防水ケース本体側に押圧されることによって前記裏蓋が前記防水ケース本体に対して開放される強制解除部材が設けられており、
前記開閉機構には、該開閉機構が防水ケース本体に対して開放する際に前記強制解除部材を前記防水ケース本体側に押圧するカム部を有し、
前記開閉機構は、前記カム部を中心として開放することによって前記強制解除部材を前記防水ケース本体側に押圧するとともに、前記裏蓋を前記防水ケース本体に対して開放することを特徴とする防水ケース。
【請求項２】
請求項１に記載の防水ケースにおいて、
前記開閉機構は、該開閉機構が前記防水ケース本体に対して閉鎖された場合に、前記防水ケース本体の側面を覆うロック部材と、
該ロック部材に設けられた第１の弾性部材と、
前記ロック部材に設けられて、前記防水ケース本体に形成された嵌合穴に、前記第１の弾性部材に付勢される方向に嵌合される嵌合部と、
前記嵌合部と一体に形成されて、前記嵌合穴に嵌合された嵌合部を、前記第１の弾性部材の付勢力に抗して移動させることにより前記嵌合部を前記嵌合穴から解除するロック解除部とを備えていることを特徴とする防水ケース。
【発明の詳細な説明】
【０００１】
【発明の属する技術分野】
本発明は、カメラ本体を覆う防水ケースに関するものである。
【０００２】
【従来の技術】
近年、防水カメラが普及しており、このような防水カメラは、外圧によって水が入るのを防止する構成となっているため、内部の空気を外に出すことはできるが、内部には空気が入り難いものとなっている。そして、従来の防水カメラでは、例えば、日の当たる場所に放置したような場合、高温によってカメラ内部の空気が膨張するため、内部の空気が逃げ、その後、カメラの温度が下がったときには、カメラ内部の空気が冷やされて収縮して減圧されるので、カメラの裏蓋が開け難くなるという欠点があった。
このような欠点を解消するために、例えば、特開平６−２３０４５９号公報に記載されている技術が挙げられる。この防水カメラは、回転操作されるツマミ部材と、このツマミ部材と係合して回動するレバー部材とを備えている。そして、ツマミ部材を回転させることによって、レバー部材が裏蓋を押して、カメラ本体に対して裏蓋を強制的に開放させるように構成されている。
【０００３】
【発明が解決しようとする課題】
しかしながら、上記技術では、その構成が複雑であるので、コンパクト化及び低コスト化を図ることができず、また、裏蓋を強制的に開放させるにはツマミ部材を回転させるので、大きな力が必要であり、容易にカメラ本体に対して裏蓋を開放させることができなかった。
本発明は、上記事情に鑑みてなされたもので、コンパクト化及び低コスト化を図ることができ、また、内部圧が下がって裏蓋が開き難くなった状態でも小さな力で容易にカメラ本体に対して裏蓋を開放させることのできる防水ケースを提供することを課題としている。
【０００４】
【課題を解決するための手段】
上記課題を解決するために、請求項１の発明は、例えば、図１〜図４に示すように、カメラ本体２を覆う防水ケース本体３と、該防水ケース本体の背面を開閉する裏蓋４と、該裏蓋に設けられて前記防水ケース本体の側面を開閉することによって、前記裏蓋を前記防水ケース本体に対して開閉する開閉機構５とを備えた防水ケース１であって、
前記裏蓋の前記防水ケース本体との突き合わせ部分に、前記防水ケース本体側に押圧されることによって前記裏蓋が前記防水ケース本体に対して開放される強制解除部材（例えば、強制解除ピン）７１が設けられており、
前記開閉機構には、該開閉機構が防水ケース本体に対して開放する際に前記強制解除部材を前記防水ケース本体側に押圧するカム部５６を有し、
前記開閉機構は、前記カム部を中心として開放することによって前記強制解除部材を前記防水ケース本体側に押圧するとともに、前記裏蓋を前記防水ケース本体に対して開放することを特徴とする。
【０００５】
請求項１の発明によれば、前記裏蓋及び開閉機構が閉鎖された状態で、前記開閉機構は、前記カム部を中心として開放することによって前記強制解除部材を前記防水ケース本体側に押圧するとともに、前記裏蓋を前記防水ケース本体に対して開放するので、てこの原理が利用されており、従来と異なり、防水ケース本体内の圧力が低くなって裏蓋が開放し難くなったときでも、小さな力で容易に裏蓋を開放することができる。
また、防水ケース本体と裏蓋と開閉機構のカム部と強制解除部材とによって構成されており、単純な構成であるので、小型化及び低コスト化を図ることができる。
【０００６】
請求項２の発明は、例えば、図１〜図４に示すように、請求項１に記載の防水ケースにおいて、
前記開閉機構は、該開閉機構が前記防水ケース本体に対して閉鎖された場合に、前記防水ケース本体の側面を覆うロック部材５１と、
該ロック部材に設けられた第１の弾性部材（例えば、バネ５３）と、
前記ロック部材に設けられて、前記防水ケース本体に形成された嵌合穴３６に、前記第１の弾性部材に付勢される方向に嵌合される嵌合部（例えば、Ｌ字部材５７）と、
前記嵌合部と一体に形成されて、前記嵌合穴に嵌合された嵌合部を、前記第１の弾性部材の付勢力に抗して移動させることにより前記嵌合部を前記嵌合穴から解除するロック解除部５８とを備えていることを特徴とする。
【０００７】
請求項２の発明によれば、前記開閉機構は、前記ロック部材と前記第１の弾性部材と前記嵌合部と前記ロック解除部とを備え、前記嵌合部が嵌合穴に嵌合されて、前記開閉機構が防水ケース本体に対して閉鎖された状態において、前記ロック解除部を前記第１の弾性部材の付勢力に抗して移動させることにより嵌合部を嵌合穴から解除するので、容易に防水ケース本体に対して閉鎖された開閉機構を解除して開放することができる。
【０００８】
【発明の実施の形態】
以下、本発明の実施の形態を図面に基づいて説明する。
図面は、本発明を適用した一例としての防水カメラを示すもので、図１は、本発明の防水ケースにおける開閉機構の閉鎖状態を示す側面透視図、図２は、開閉機構の開放状態を示す側面透視図、図３は、図１におけるＡ−Ａ断面図、図４は、図２におけるＢ−Ｂ断面図である。
まず、本発明の防水ケースの構成について説明する。
図１〜図４に示すように、防水ケース１は、カメラ本体２を覆う防水ケース本体３と、該防水ケース本体３の背面を開閉する裏蓋４と、裏蓋４に設けられて防水ケース本体３の側面を開閉することによって、裏蓋４を防水ケース本体３に対して開閉する開閉機構５とを備えている。したがって、カメラ本体２は、防水ケース本体３と裏蓋４と開閉機構５とによって形成された空間内に収容され、防水ケース１とカメラ本体２とで防水カメラ６が構成されている。
【０００９】
防水ケース本体３は、図３及び図４に示すように、その背面側に開口部を有している。そして、背面側への開口部周囲に連続するパッキン用凸部３１，３１が形成されており、一方の外側面に裏蓋用ヒンジ軸４２のボス部３２を備え、他方の外側面には開閉機構５用の収納部３３が設けられている。この収納部３３を覆うようにして後述する開閉機構５のロック部材５１が取り付けられている。
【００１０】
収納部３３には、カギ板３４が防水ケース本体３側に向けてビス３５，３５によって固定されている。カギ板３４には、後述するＬ字部材（嵌合部）５７，５７が嵌合されるＬ字型の嵌合穴３６，３６が形成されている（図５及び図６参照）。また、カギ板３４に連続するようにして防水ケース本体３の前面側に、後述するクリックバネ５９が係止される突起部３７が取り付けられている。
なお、防水ケース本体３の前面側中央部には、透明な前ガラス３８がゴムパッキンＧ，Ｇを介して取り付けられている。
【００１１】
裏蓋４は、図３及び図４に示すように、平断面視略コ字型をなしており、その両端にパッキン用の溝部４１，４１が形成されている。そして、これら溝部４１，４１と、前記パッキン用凸部３１，３１とによる突き合わせ部分にゴムパッキンＧが嵌着し、溝部４１，４１と凸部３１，３１とがゴムパッキンＧによって圧接することにより防水ケース１内でカメラ本体２が水密に保たれている。
裏蓋４の前記収納部３３側と反対側の端部には、裏蓋４の回転中心となる裏蓋用ヒンジ軸４２が設けられており、この裏蓋用ヒンジ軸４２が防水ケース本体３に取り付けられたボス部３２と互いにヒンジ結合することにより、裏蓋４は防水ケース本体３に対して開閉可能に取り付けられている。
また、裏蓋４の前記収納部３３側の端部で、防水ケース本体３との突き合わせ部分には、裏蓋４が防水ケース本体３に対して閉鎖された状態を解除する強制解除ピン（強制解除部材）７１と該強制解除ピン７１に巻かれたコイルバネ７２とが取り付けられている。
【００１２】
コイルバネ７２は、強制解除ピン７１を後述するロック部材５１のカム部５６側（図３及び図４中、下方向）に押圧している。
すなわち、強制解除ピン７１は、後述する開閉機構５のロック部材５１がコイルバネ７２の付勢力に抗して開放することによって、防水ケース本体３側（図３及び図４中、上方向）に押圧されて、裏蓋４が防水ケース本体３に対して開放される。また、ロック部材５１が閉鎖することによって、コイルバネ７２によりカム部５６側に付勢された状態で、裏蓋４が防水ケース本体３に対して閉鎖される。
【００１３】
開閉機構５は、ロック部材５１と、カギ部材５２と、バネ（第１の弾性部材）５３と、固定部材５４とから構成されている。
ロック部材５１は、図３及び図４に示すように、平断面視略コ字型の部材であって、防水ケース本体３の側面、つまり、前記収納部３３を覆っている。ロック部材５１の裏蓋４側の端部は、裏蓋４に設けられた軸受け部４３に支持されるロック部材用ヒンジ軸５５を備えており、その外周には強制解除ピン７１を押圧するためのカム部５６を有している。
また、ロック部材５１には、図１及び図２中、上下にピン５１ａ，５１ａが設けられており、これらピン５１ａ，５１ａは後述するカギ部材５２に形成された長穴５２ａ，５２ａ内に係合され、バネ５３（図３及び図４参照）の付勢力に抗してカギ部材５２が上下に摺動することにより、ピン５１ａ，５１ａに対して長穴５２ａ，５２ａが上下に移動する。したがって、これら長穴５２ａ，５２ａとピン５１ａ，５１ａとによって、カギ部材５２を摺動させた場合にカギ部材５２の摺動が規制される。
【００１４】
カギ部材５２は、ロック部材５１の内面に配置されており、防水ケース本体３に形成された前記Ｌ字型の嵌合穴３６に嵌合するＬ字部材５７，５７（嵌合部）（図５及び図６参照）が、カギ部材５２の表面から突出するように一体に形成されている。
また、カギ部材５２をロック部材５１に対して、図１及び図２中、上下に摺動するように操作するためのロック解除部５８も一体に形成されている。
さらに、カギ部材５２には、上述したピン５１ａ，５１ａが挿入される長穴５２ａ，５２ａが上下に形成されている。
【００１５】
前記バネ５３は、図１及び図２に示すように、Ｌ字部材５７，５７をＬ字型の嵌合穴３６，３６に嵌合させる方向（図３及び図４中、下方向）に付勢するように、ロック部材５１の内面に配置されている。
すなわち、カギ部材５２、カギ部材５２に一体に形成されたＬ字部材５７，５７及びロック解除部５８は、このバネ５３の付勢力によってＬ字部材５７，５７をＬ字型の嵌合穴３６，３６に嵌合させる方向（図５中矢印Ｘと反対方向、図１及び図２中、下方向）と、バネ５３の付勢力に抗して嵌合を解除させる方向（図５中矢印Ｘ方向、図１及び図２中、上方向）とに摺動可能となっている。
【００１６】
固定部材５４は、カギ部材５２及びバネ５３の上に配置され、ロック部材５１にビス５４ａによって固定されている。この固定部材５４には、図１及び図２中、上下に長穴５４ｂ，５４ｂが形成されており、これら長穴５４ｂ，５４ｂ内にそれぞれＬ字部材５７，５７が係合し、カギ部材５２が摺動することによりＬ字部材５７，５７が長穴５４ｂ，５４ｂ内を上下に移動する。
また、固定部材５４には、ロック部材５１が防水ケース本体３に対して閉鎖された場合に、前記突起部３７を乗り越えて係止される平断面視略Ｓ字型のクリックバネ５９が一体に形成されている。クリックバネ５９を突起部３７に係止することによって、クリック感を出し、ロック部材５１を防水ケース本体３に確実に係止させている。
【００１７】
次に、以上の構成による防水ケース１の動作について説明する。
図１及び図３は、裏蓋４及びロック部材５１が防水ケース本体３に対して閉鎖された状態を示す図である。また、図５は、図１及び図３におけるカギ部材５２のＬ字部材５７，５７とカギ板３４のＬ字型の嵌合穴３６，３６とが嵌合された構造を示す図である。
図１及び図３に示すように、裏蓋４及びロック部材５１が防水ケース本体３に対して閉鎖された状態では、ロック部材５１及びロック解除部５８が、バネ５３によって図１中、下方向に付勢されている。また、このようにロック部材５１が下方向に付勢されることにより、Ｌ字部材５７，５７はＬ字型の嵌合穴３６，３６に嵌合されている。
すなわち、図５に示すように、Ｌ字部材５７及びＬ字型の嵌合穴３６はそれぞれ凹部５７ａ、３６ａと凸部５７ｂ、３６ｂとを有しており、これらが互いに嵌合している。また、Ｌ字部材５７に形成された係合部５７ｃによって、カギ板５２は図５中、下方向においても係合されており、これによりロック部材５１が開放しないようになっている。
【００１８】
このように、ロック部材５１が閉鎖された状態から裏蓋４を開放する場合には、ロック解除部５８を図１中、上方向にバネ５３の付勢力に抗して押すことによって、カギ部材５２を上方向に摺動させて、Ｌ字型の嵌合穴３６，３６に嵌合されたＬ字部材５７，５７を外すとともに、突起部３７に係止されたクリックバネ５９も外し、これによりロック部材５１のロックを解除する。
つまり、図５に示すように、Ｌ字部材５７がＬ字型の嵌合穴３６に嵌合された状態からロック解除部５８が押されると、バネ５３の付勢力（図中矢印Ｘと反対方向）に抗してＬ字部材５７が矢印Ｘ方向に移動し、これによってＬ字部材５７と嵌合穴３６との嵌合が解除され、ロック部材５１のロックが解除されて開放される。
【００１９】
そして、解除されたロック部材５１をロック部材用ヒンジ軸５５を中心として回動させることによって、ロック部材５１の回動に伴ってロック部材５１のカム部５６が徐々に強制解除ピン７１を防水ケース本体３側（図１中、上方向）に押圧するとともに、裏蓋４が裏蓋用ヒンジ軸５５を中心として回動されて防水ケース本体３に対して開放される。
【００２０】
図２及び図４は、ロック部材５１が防水ケース本体３に対して開放された状態を示す図である。また、図６は、図２及び図４におけるカギ部材５２のＬ字部材５７，５７とカギ板３４のＬ字型の嵌合穴３６，３６との嵌合が解除された状態を示す図である。
図２及び図４に示すように、裏蓋４が閉鎖され、ロック部材５１が防水ケース本体３に対して開放された状態では、ロック部材５１及びロック解除部５８が、バネ５３によって図２中、下方向に付勢されている。
なお、図２及び図４では、裏蓋４が閉鎖されているが、ここでは、裏蓋４が開放された状態からロック部材５１を閉鎖する場合の動作について説明する。
【００２１】
まず、裏蓋４が防水ケース本体３に対して開放された状態から、裏蓋４を裏蓋用ヒンジ軸４２を中心として回動させて、裏蓋４と防水ケース本体３とを突き合わせることによって防水ケース本体３に対して閉鎖する。その後、ロック部材５１をロック部材用ヒンジ軸５５を中心として閉鎖方向に回動させることによって、Ｌ字部材５７，５７をＬ字型の嵌合穴３６，３６に嵌合するとともに、クリックバネ５９を突起部３７に係止させて、ロック部材５１を防水ケース本体３に対して閉鎖する。
つまり、ロック部材５１を閉鎖するように回動させることによって、図６中、上方向（矢印Ｙと反対方向）からＬ字部材５７が押圧される。すると、Ｌ字部材５７は、前記バネ５３の付勢力に抗してＬ字部材５７のテーパ面により嵌合穴３６の凸部３６ｂを押し退けた後に、前記バネ５３の付勢力により元の位置に戻される。そして、このＬ字部材５７は、その凸部５７ｂが嵌合穴３６の凹部３６ａに嵌合されるとともに、凹部５７ａに嵌合穴３６の凸部３６ｂが嵌合される。また、このようにＬ字部材５７がカギ板３４に嵌合された際に、カギ板３４は、Ｌ字部材５７のロック部材５１側に設けられた係合部５７ｃによって図中、下方向から係合され、これによりカギ板３４とＬ字部材５７とが固定される（図５参照）。よって、ロック部材５１がケース本体３に対して閉鎖される。
なお、このようにロック部材５１が閉鎖した状態では、強制解除ピン７１はロック部材５１のカム部５６を押圧しており、これによって裏蓋４と防水ケース本体３とが密閉されている。
【００２２】
本発明の防水ケース１によれば、ロック部材５１は、カム部５６を中心として防水ケース本体３に対して開放することによって、カム部５６が強制解除ピン７１を防水ケース本体３側に押圧するとともに、裏蓋４を防水ケース本体３に対して開放する。このようにして、てこの原理が利用されているので、防水ケース１内の圧力が低くなって裏蓋４が開放し難くなったときでも、小さな力で容易に裏蓋４を開放することができる。
また、防水ケース本体３と裏蓋４と開閉機構５のカム部５６と強制解除ピン７１とによって構成されており、単純な構成であるので、小型化及び低コスト化を図ることができる。
【００２３】
開閉機構５は、ロック部材５１とバネ５３とＬ字部材５７とロック解除部５８とを備え、開閉機構５が防水ケース本体３に対して閉鎖された状態において、ロック解除部５８をバネ５３の付勢力に抗して移動させることによりＬ字部材５７を嵌合穴３６から解除するので、容易に防水ケース本体３に対して閉鎖された開閉機構５を解除して開放することができる。
【００２４】
なお、本発明は、上記実施の形態に限定されるものではなく、その要旨を逸脱しない範囲で適宜変更可能である。
【００２５】
【発明の効果】
請求項１の発明によれば、前記開閉機構を開放することによって、前記強制解除ピンが前記防水ケース本体側に押圧されるとともに裏蓋が開放されるので、てこの原理が利用され、従来と異なり小さな力で容易に開放することができる。
また、単純な構成であるので、小型化及び低コスト化を図ることができる。
【００２６】
請求項２の発明によれば、請求項１と同様の効果を得ることができるのは勿論のこと、前記嵌合部が嵌合穴に嵌合されて、前記開閉機構が防水ケース本体に対して閉鎖された状態において、前記ロック解除部を前記第１の弾性部材の付勢力に抗して移動させることにより嵌合部を嵌合穴から解除するので、容易に防水ケース本体に対して閉鎖された開閉機構を解除して開放することができる。
【図面の簡単な説明】
【図１】本発明の実施の形態を示すためのもので、防水ケースにおける開閉機構の閉鎖状態を示す側面透視図である。
【図２】同、防水ケースにおける開閉機構の開放状態を示す側面透視図である。
【図３】同、図１におけるＡ−Ａ断面図である。
【図４】同、図２におけるＢ−Ｂ断面図である。
【図５】同、カギ部材のＬ字部材とカギ板のＬ字型の嵌合穴とが嵌合された構造を示す斜視図である。
【図６】同、カギ部材のＬ字部材とカギ板のＬ字型の嵌合穴との嵌合が解除された状態を示す斜視図である。
【符号の説明】
１　防水ケース
２　カメラ本体
３　防水ケース本体
４　裏蓋
５　開閉機構
３６　嵌合穴
５１　ロック部材
５３　第１の弾性部材（バネ）
５６　カム部
５７　嵌合部（Ｌ字部材）
５８　ロック解除部
７１　強制解除部材（強制解除ピン）
【図１】
2004029097.tif 000003
【図２】
2004029097.tif 000004
【図３】
2004029097.tif 000005
【図４】
2004029097.tif 000006
【図５】
2004029097.tif 000007
【図６】
2004029097.tif 000008